【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
パレットを備え、
前記パレットの少なくとも一部分が、コンクリートを含み、
前記パレットが、前記コンクリートと異なる少なくとも１つの特性を有する１つまたは複数の芯材を有する、製造物品。
【請求項２】
前記コンクリートが、繊維強化コンクリート（ＦＲＣ）を含む、請求項１に記載の物品。
【請求項３】
前記コンクリートが、工学設計セメント系複合材料（ＥＣＣ）を含む、請求項１または２に記載の物品。
【請求項４】
前記コンクリート内部に配置された微小球をさらに備える、請求項１ないし３のいずれか１項に記載の物品。
【請求項５】
前記パレットが、前記芯材で少なくとも部分的に充填される１つまたは複数の空洞を画定する、請求項１ないし４のいずれか１項に記載の物品。
【請求項６】
前記芯材が、前記コンクリートよりも低密度である、請求項１ないし５のいずれか１項に記載の物品。
【請求項７】
前記芯材が、前記コンクリートよりも弾力性がある、請求項１ないし６のいずれか１項に記載の物品。
【請求項８】
前記芯材が、ポリスチレン発泡体を含む、請求項１ないし７のいずれか１項に記載の物品。
【請求項９】
前記芯材が、前記コンクリートの格子を画定する、請求項１ないし８のいずれか１項に記載の物品。
【請求項１０】
前記格子が、ハニカムパターンを有する、請求項９に記載の物品。
【請求項１１】
前記格子が、異なる格子パターンを有する少なくとも２つの部分を含む、請求項９に記載の物品。
【請求項１２】
前記少なくとも２つの部分が、支持部分および充填物部分を含む、請求項１１に記載の物品。
【請求項１３】
前記パレットが、前記支持部分および前記充填物部分を有する上部デッキを備える、請求項１２に記載の物品。
【請求項１４】
前記上部デッキの前記充填物部分に位置が対応する１つまたは複数のジャッキ用開口を画定する底部デッキをさらに備え、
前記底部デッキが、前記上部デッキの前記支持部分に対応する第２の格子を含む、請求項１３に記載の物品。
【請求項１５】
前記パレットが、デッキと、前記デッキから延在するスペーサ構造とを含み、
前記スペーサ構造が、前記コンクリートを含む、請求項１ないし８のいずれか１項に記載の物品。
【請求項１６】
前記スペーサ構造が、前記芯材を有する、請求項１５に記載の物品。
【請求項１７】
前記スペーサ構造が、１つまたは複数のブロックを含み、
前記デッキが、前記ブロックが受けられる１つまたは複数のカラーを含む、請求項１５または１６に記載の物品。
【請求項１８】
前記スペーサ構造が、１つまたは複数のブロックを含み、
前記デッキが、前記ブロックが受けられる１つまたは複数のブロック凹部を含む、請求項１５または１６に記載の物品。
【請求項１９】
前記デッキが、１つまたは複数の位置合せ開口を含み、
前記スペーサ構造が、前記位置合せ開口で受けられる１つまたは複数の位置合せ凸部を含む、請求項１５ないし１８のいずれか１項に記載の物品。
【請求項２０】
前記スペーサ構造が、六角形状を有する１つまたは複数のブロックを含む、請求項１５ないし１９のいずれか１項に記載の物品。
【請求項２１】
前記デッキおよび前記スペーサ構造が、内部に前記コンクリートが配置される枠組みを含む一体構造を形成する、請求項１５ないし２０のいずれか１項に記載の物品。
【請求項２２】
前記パレットが、１つまたは複数の持ち手用開口を含む、請求項１ないし２１のいずれか１項に記載の物品。
【請求項２３】
前記コンクリートが、前記パレットを識別するために着色される、請求項１ないし２２のいずれか１項に記載の物品。
【請求項２４】
前記パレットが、１つまたは複数のバンパを含む、請求項１ないし２３のいずれか１項に記載の物品。
【請求項２５】
前記パレットが、前記コンクリートを強化するために前記コンクリートに埋設されたメッシュを含む、請求項１ないし２４のいずれか１項に記載の物品。
【請求項２６】
前記芯材が、前記メッシュ間に挟まれている、請求項２５に記載の物品。
【請求項２７】
前記メッシュが、前記パレット内部で縦方向に延在するスクリム片を含む、請求項２５に記載の物品。
【請求項２８】
前記メッシュが、上貼りスクリムを含む、請求項２５に記載の物品。
【請求項２９】
前記メッシュが、交差パターンに延在するスクリム片を含む、請求項２５に記載の物品。
【請求項３０】
前記パレットが、前記コンクリート内部に配置された強化構造を含む、請求項１ないし２９のいずれか１項に記載の物品。
【請求項３１】
前記強化構造が、鉄筋を含む、請求項３０に記載の物品。
【請求項３２】
前記パレットが、
前記コンクリート製の上部デッキと、
前記コンクリート製の底部デッキと、
１つまたは複数のフォーク用開口を画定する前記上部デッキと前記底部デッキとの間に配置されたスペーサ構造とを含み、
前記スペーサ構造が、前記コンクリート製である、請求項１ないし８のいずれか１項に記載の物品。
【請求項３３】
前記上部デッキおよび前記スペーサ構造が、前記コンクリートが充填される枠組みを含む一体構造を形成する、請求項３２に記載の物品。
【請求項３４】
前記上部デッキ、前記底部デッキ、および前記スペーサ構造が、前記芯材を含む、請求項３２に記載の物品。
【請求項３５】
コンクリート内部に１つまたは複数の芯材を有するパレットの１つまたは複数の構成要素を形成するステップであって、前記芯材が、前記コンクリートと異なる少なくとも１つの特性を有するステップと、
前記コンクリートを固化するステップとを含む、方法。
【請求項３６】
前記芯材が、前記コンクリートよりも低密度である、請求項３５に記載の方法。
【請求項３７】
前記芯材が、ポリスチレン発泡体を含む、請求項３５または３６に記載の方法。
【請求項３８】
前記形成するステップが、１つまたは複数の型で前記構成要素を成型するステップを含む、請求項３５ないし３７のいずれか１項に記載の方法。
【請求項３９】
前記形成するステップが、前記コンクリート内に前記芯材を埋設するステップを含む、請求項３５ないし３８のいずれか１項に記載の方法。
【請求項４０】
前記形成するステップが、前記芯材で１つまたは複数の格子パターンを作成するステップを含む、請求項３５ないし３９のいずれか１項に記載の方法。
【請求項４１】
前記形成するステップが、１つまたは複数の空洞を有する前記構成要素を押出し成形するステップを含む、請求項３５ないし４０のいずれか１項に記載の方法。
【請求項４２】
前記押出し成形するステップのあとに、前記空洞を１つまたは複数の芯材で充填するステップをさらに含む、請求項４１に記載の方法。
【請求項４３】
前記形成するステップが、枠組みを前記コンクリートで充填することによって、上部デッキおよびスペーサ構造を作成するステップを含む、請求項３５に記載の方法。
【請求項４４】
前記形成するステップの最中に作成された前記構成要素が、上部デッキ、底部デッキ、およびスペーサ構造を含むとき、
１つまたは複数のフォーク用開口を画定するために、前記スペーサ構造を前記上部デッキと前記底部デッキとの間に、接着剤で固定するステップをさらに含む、請求項３５に記載の方法。
【請求項４５】
前記形成するステップが、前記コンクリート内にメッシュを埋設するステップを含む、請求項３５ないし４４のいずれか１項に記載の方法。
【請求項４６】
前記メッシュを前記埋設するステップが、前記メッシュの間に少なくとも１つの前記芯材を挟むステップを含む、請求項４５に記載の方法。
【請求項４７】
前記固化するステップが、二酸化炭素中で前記コンクリートを固化するステップを含む、請求項３５ないし４６のいずれか１項に記載の方法。
【請求項４８】
前記固化するステップが、蒸気中で前記コンクリートを固化するステップを含む、請求項３５ないし４６のいずれか１項に記載の方法。
【請求項４９】
前記固化するステップが、オートクレーブを使用して前記コンクリートを固化するステップを含む、請求項３５ないし４６のいずれか１項に記載の方法。
【請求項５０】
前記コンクリート中に鉄筋を埋設するステップをさらに含む、請求項３５ないし４９のいずれか１項に記載の方法。 
【手続補正２】
【補正対象書類名】明細書
【補正対象項目名】００９５
【補正方法】変更
【補正の内容】
【００９５】
本発明が、図面および上の記述で、詳細に図示され、説明されている一方で、同一のものは、例示として、かつ特性を制限しないものとして考慮されるべきであり、好ましい実施形態のみが示され説明されており、以下の請求項によって定められる本発明の技術概念の範囲内にある、全ての変更点、等価物、および変形例の保護が所望されることが理解されよう。各々の個別の出版物、特許、または特許出願書類が、具体的かつ個別に示され、本明細書に引用により組み込まれ、全体として説明されるように、本明細書で引用された全ての出版物、特許、および特許出願書類は、引用することにより本明細書に組み込まれる。
以上説明したように、本発明は以下の形態を有する。
［形態１］
パレットを備え、
前記パレットの少なくとも一部分が、コンクリートを含み、
前記パレットが、前記コンクリートと異なる少なくとも１つの特性を有する１つまたは複数の芯材を有する、製造物品。
［形態２］
前記コンクリートが、繊維強化コンクリート（ＦＲＣ）を含む、形態１に記載の物品。
［形態３］
前記コンクリートが、工学設計セメント系複合材料（ＥＣＣ）を含む、形態１に記載の物品。
［形態４］
前記コンクリート内部に配置された微小球をさらに備える、形態１に記載の物品。
［形態５］
前記パレットが、前記芯材で少なくとも部分的に充填される１つまたは複数の空洞を画定する、形態１に記載の物品。
［形態６］
前記芯材が、前記コンクリートよりも低密度である、形態１に記載の物品。
［形態７］
前記芯材が、前記コンクリートよりも弾力性がある、形態１に記載の物品。
［形態８］
前記芯材が、ポリスチレン発泡体を含む、形態１に記載の物品。
［形態９］
前記芯材が、前記コンクリートの格子を画定する、形態１に記載の物品。
［形態１０］
前記格子が、ハニカムパターンを有する、形態９に記載の物品。
［形態１１］
前記格子が、異なる格子パターンを有する少なくとも２つの部分を含む、形態９に記載の物品。
［形態１２］
前記少なくとも２つの部分が、支持部分および充填物部分を含む、形態１１に記載の物品。
［形態１３］
前記パレットが、前記支持部分および前記充填物部分を有する上部デッキを備える、形態１２に記載の物品。
［形態１４］
前記上部デッキの前記充填物部分に位置が対応する１つまたは複数のジャッキ用開口を画定する底部デッキをさらに備え、
前記底部デッキが、前記上部デッキの前記支持部分に対応する第２の格子を含む、形態１３に記載の物品。
［形態１５］
前記パレットが、デッキと、前記デッキから延在するスペーサ構造とを含み、
前記スペーサ構造が、前記コンクリートを含む、形態１に記載の物品。
［形態１６］
前記スペーサ構造が、前記芯材を有する、形態１５に記載の物品。
［形態１７］
前記スペーサ構造が、１つまたは複数のブロックを含み、
前記デッキが、前記ブロックが受けられる１つまたは複数のカラーを含む、形態１５に記載の物品。
［形態１８］
前記スペーサ構造が、１つまたは複数のブロックを含み、
前記デッキが、前記ブロックが受けられる１つまたは複数のブロック凹部を含む、形態１５に記載の物品。
［形態１９］
前記デッキが、１つまたは複数の位置合せ開口を含み、
前記スペーサ構造が、前記位置合せ開口で受けられる１つまたは複数の位置合せ凸部を含む、形態１５に記載の物品。
［形態２０］
前記スペーサ構造が、六角形状を有する１つまたは複数のブロックを含む、形態１５に記載の物品。
［形態２１］
前記デッキおよび前記スペーサ構造が、内部に前記コンクリートが配置される枠組みを含む一体構造を形成する、形態１５に記載の物品。
［形態２２］
前記パレットが、１つまたは複数の持ち手用開口を含む、形態１に記載の物品。
［形態２３］
前記コンクリートが、前記パレットを識別するために着色される、形態１に記載の物品。
［形態２４］
前記パレットが、１つまたは複数のバンパを含む、形態１に記載の物品。
［形態２５］
前記パレットが、前記コンクリートを強化するために前記コンクリートに埋設されたメッシュを含む、形態１に記載の物品。
［形態２６］
前記芯材が、前記メッシュ間に挟まれている、形態２５に記載の物品。
［形態２７］
前記メッシュが、前記パレット内部で縦方向に延在するスクリム片を含む、形態２５に記載の物品。
［形態２８］
前記メッシュが、上貼りスクリムを含む、形態２５に記載の物品。
［形態２９］
前記メッシュが、交差パターンに延在するスクリム片を含む、形態２５に記載の物品。
［形態３０］
前記パレットが、前記コンクリート内部に配置された強化構造を含む、形態１に記載の物品。
［形態３１］
前記強化構造が、鉄筋を含む、形態３０に記載の物品。
［形態３２］
前記パレットが、
前記コンクリート製の上部デッキと、
前記コンクリート製の底部デッキと、
１つまたは複数のフォーク用開口を画定する前記上部デッキと前記底部デッキとの間に配置されたスペーサ構造とを含み、
前記スペーサ構造が、前記コンクリート製である、形態１に記載の物品。
［形態３３］
前記上部デッキおよび前記スペーサ構造が、前記コンクリートが充填される枠組みを含む一体構造を形成する、形態３２に記載の物品。
［形態３４］
前記上部デッキ、前記底部デッキ、および前記スペーサ構造が、前記芯材を含む、形態３２に記載の物品。
［形態３５］
コンクリート内部に１つまたは複数の芯材を有するパレットの１つまたは複数の構成要素を形成するステップであって、前記芯材が、前記コンクリートと異なる少なくとも１つの特性を有するステップと、
前記コンクリートを固化するステップとを含む、方法。
［形態３６］
前記芯材が、前記コンクリートよりも低密度である、形態３５に記載の方法。
［形態３７］
前記芯材が、ポリスチレン発泡体を含む、形態３５に記載の方法。
［形態３８］
前記形成するステップが、１つまたは複数の型で前記構成要素を成型するステップを含む、形態３５に記載の方法。
［形態３９］
前記形成するステップが、前記コンクリート内に前記芯材を埋設するステップを含む、形態３５に記載の方法。
［形態４０］
前記形成するステップが、前記芯材で１つまたは複数の格子パターンを作成するステップを含む、形態３５に記載の方法。
［形態４１］
前記形成するステップが、１つまたは複数の空洞を有する前記構成要素を押出し成形するステップを含む、形態３５に記載の方法。
［形態４２］
前記押出し成形するステップのあとに、前記空洞を１つまたは複数の芯材で充填するステップをさらに含む、形態４１に記載の方法。
［形態４３］
前記形成するステップが、枠組みを前記コンクリートで充填することによって、上部デッキおよびスペーサ構造を作成するステップを含む、形態３５に記載の方法。
［形態４４］
前記形成するステップの最中に作成された前記構成要素が、上部デッキ、底部デッキ、およびスペーサ構造を含むとき、
１つまたは複数のフォーク用開口を画定するために、前記スペーサ構造を前記上部デッキと前記底部デッキとの間に、接着剤で固定するステップをさらに含む、形態３５に記載の方法。
［形態４５］
前記形成するステップが、前記コンクリート内にメッシュを埋設するステップを含む、形態３５に記載の方法。
［形態４６］
前記メッシュを前記埋設するステップが、前記メッシュの間に少なくとも１つの前記芯材を挟むステップを含む、形態４５に記載の方法。
［形態４７］
前記固化するステップが、二酸化炭素中で前記コンクリートを固化するステップを含む、形態３５に記載の方法。
［形態４８］
前記固化するステップが、蒸気中で前記コンクリートを固化するステップを含む、形態３５に記載の方法。
［形態４９］
前記固化するステップが、オートクレーブを使用して前記コンクリートを固化するステップを含む、形態３５に記載の方法。
［形態５０］
前記コンクリート中に鉄筋を埋設するステップをさらに含む、形態３５に記載の方法。
［形態５１］
任意の上述の形態に記載の物品の製造方法。
［形態５２］
前記コンクリートが、繊維強化コンクリート（ＦＲＣ）を含む、任意の上述の形態に記載の物品。
［形態５３］
前記コンクリートが、工学設計セメント系複合材料（ＥＣＣ）を含む、任意の上述の形態に記載の物品。
［形態５４］
前記コンクリート内部に配置された微小球をさらに備える、任意の上述の形態に記載の物品。
［形態５５］
前記パレットが、前記芯材で少なくとも部分的に充填される１つまたは複数の空洞を画定する、任意の上述の形態に記載の物品。
［形態５６］
前記芯材が、前記コンクリートよりも低密度である、任意の上述の形態に記載の物品。
［形態５７］
前記芯材が、前記コンクリートよりも弾力性がある、任意の上述の形態に記載の物品。
［形態５８］
前記芯材が、ポリスチレン発泡体を含む、任意の上述の形態に記載の物品。
［形態５９］
前記芯材が、前記コンクリートの格子を画定する、任意の上述の形態に記載の物品。
［形態６０］
前記格子が、ハニカムパターンを有する、任意の上述の形態に記載の物品。
［形態６１］
前記格子が、異なる格子パターンを有する少なくとも２つの部分を含む、任意の上述の形態に記載の物品。
［形態６２］
前記少なくとも２つの部分が、支持部分および充填物部分を含む、任意の上述の形態に記載の物品。
［形態６３］
前記パレットが、前記支持部分および前記充填物部分を有する上部デッキを備える、任意の上述の形態に記載の物品。
［形態６４］
前記上部デッキの前記充填物部分に位置が対応する１つまたは複数のジャッキ用開口を画定する底部デッキをさらに備え、
前記底部デッキが、前記上部デッキの前記支持部分に対応する第２の格子を含む、任意の上述の形態に記載の物品。
［形態６５］
前記パレットが、デッキと、
前記デッキから延在するスペーサ構造とを含み、
前記スペーサ構造が、前記コンクリートを含む、任意の上述の形態に記載の物品。
［形態６６］
前記スペーサ構造が、前記芯材を有する、任意の上述の形態に記載の物品。
［形態６７］
前記スペーサ構造が、１つまたは複数のブロックを含み、
前記デッキが、前記ブロックが受けられる１つまたは複数のカラーを含む、任意の上述の形態に記載の物品。
［形態６８］
前記スペーサ構造が、１つまたは複数のブロックを含み、
前記デッキが、前記ブロックが受けられる１つまたは複数のブロック凹部を含む、任意の上述の形態に記載の物品。
［形態６９］
前記デッキが、１つまたは複数の位置合せ開口を含み、
前記スペーサ構造が、前記位置合せ開口で受けられる１つまたは複数の位置合せ凸部を含む、任意の上述の形態に記載の物品。
［形態７０］
前記スペーサ構造が、六角形状を有する１つまたは複数のブロックを含む、任意の上述の形態に記載の物品。
［形態７１］
前記デッキおよび前記スペーサ構造が、内部に前記コンクリートが配置される枠組みを含む一体構造を形成する、任意の上述の形態に記載の物品。
［形態７２］
前記パレットが、１つまたは複数の持ち手用開口を含む、任意の上述の形態に記載の物品。
［形態７３］
前記コンクリートが、前記パレットを識別するために着色される、任意の上述の形態に記載の物品。
［形態７４］
前記パレットが、１つまたは複数のバンパを含む、任意の上述の形態に記載の物品。
［形態７５］
前記パレットが、前記コンクリートを強化するために前記コンクリートに埋設されたメッシュを含む、任意の上述の形態に記載の物品。
［形態７６］
前記芯材が、前記メッシュ間に挟まれている、任意の上述の形態に記載の物品。
［形態７７］
前記メッシュが、前記パレット内部で縦方向に延在するスクリム片を含む、任意の上述の形態に記載の物品。
［形態７８］
前記メッシュが、上貼りスクリムを含む、任意の上述の形態に記載の物品。
［形態７９］
前記パレットが、前記コンクリート製の上部デッキと、
前記コンクリート製の底部デッキと、
１つまたは複数のフォーク用開口を画定する前記上部デッキと前記底部デッキとの間に配置されたスペーサ構造とを含み、
前記スペーサ構造が前記コンクリート製である、任意の上述の形態に記載の物品。
［形態８０］
前記上部デッキおよび前記スペーサ構造が、前記コンクリートが充填する枠組みを含む一体構造を形成する、任意の上述の形態に記載の物品。
［形態８１］
前記上部デッキ、前記底部デッキ、および前記スペーサ構造が、前記芯材を含む、任意の上述の形態に記載の物品。
［形態８２］
前記メッシュが、交差パターンに延在するスクリム片を含む、任意の上述の形態に記載の物品。
［形態８３］
前記パレットが、前記コンクリート内部に配置された強化構造を含む、任意の上述の形態に記載の物品。
［形態８４］
前記強化構造が、鉄筋を含む、任意の上述の形態に記載の物品。